(57)【要約】  本発明の実施例によれば、上り制御情報の送信方法及び移動局が提供される。本発明に係る実施例における上り制御情報の送信方法は、異なるチャネル行列のランクについて同じビット数を有する第１情報と、異なるチャネル行列のランクについて同じ又は異なるビット数を有する第２情報と、を含む初期制御情報にパディングビットを付加することにより、上り制御情報を生成することと、前記上り制御情報を送信することと、を含む。
2020533900.tif 000002
【特許請求の範囲】
【請求項１】
異なるチャネル行列のランクについて同じビット数を有する第１情報と、異なるチャネル行列のランクについて同じ又は異なるビット数を有する第２情報と、を含む初期制御情報にパディングビットを付加することにより、上り制御情報を生成することと、
前記上り制御情報を送信することと、
を含む上り制御情報の送信方法。
【請求項２】
前記第１情報及び第２情報のそれぞれは、一つ又は複数のセグメントを含み、前記初期制御情報にパディングビットを付加することは、前記一つ又は複数のセグメントの少なくとも一つのセグメントにパディングビットを付加する請求項１に記載の方法。
【請求項３】
前記パディングビットは、前記上り制御情報をチェックするために用いられる請求項１又は２に記載の方法。
【請求項４】
前記パディングビットは、前記第１情報の少なくとも一部を指示する請求項１又は２に記載の方法。
【請求項５】
前記第１情報は、ランクインジケータ（ＲＩ）及び／又はＣＳＩ−ＲＳリソースインジケータ（ＣＲＩ）を含み、前記第２情報は、チャネル品質インジケータ（ＣＱＩ）及び／又はプリコーディングマトリックスインジケータ（ＰＭＩ）を含む請求項１又は２に記載の方法。
【請求項６】
前記パディングビット系列を符号化することにより、上り制御情報を生成することは、初期制御情報にパディングビットを付加することにより、パディングビット系列を生成することと、
前記パディングビット系列をチャネル符号化することにより、上り制御情報を生成することと、
を含む請求項１又は２に記載の方法。
【請求項７】
異なるチャネル行列のランクについて同じビット数を有する第１情報と、異なるチャネル行列のランクについて同じ又は異なるビット数を有する第２情報と、を含む上り制御情報の長さを指示する長さ指示情報を送信することと、
１スロットで前記上り制御情報を送信することと、
を含む上り制御情報の送信方法。
【請求項８】
前記長さ指示情報は、復調参照信号である請求項７に記載の方法。
【請求項９】
受信された指示情報に基づいて、チャネル行列のランクを特定することと、
特定されたチャネル行列のランクに基づいて、複数のチャネル行列のランクに用いられる初期制御情報をジョイント符号化することにより、上り制御情報を生成することと、
前記上り制御情報を送信することと、を含み、
各チャネル行列のランクの初期制御情報は、異なるチャネル行列のランクについて同じビット数を有する第１情報と、異なるチャネル行列のランクについて同じ又は異なるビット数を有する第２情報と、を含む上り制御情報の送信方法。
【請求項１０】
第１時間間隔で、第１リソースを用いて第１上り制御情報を送信することと、
前記第１上り制御情報と独立に、第２時間間隔で、第２リソースを用いて第２上り制御情報を送信することと、を含み、
前記第１上り制御情報及び前記第２上り制御情報の少なくとも一つは、異なるチャネル行列のランクについて同じビット数を有する第１情報と、異なるチャネル行列のランクについて同じ又は異なるビット数を有する第２情報と、を含む上り制御情報の送信方法。
【請求項１１】
異なるチャネル行列のランクについて同じビット数を有する第１情報と、異なるチャネル行列のランクについて同じ又は異なるビット数を有する第２情報と、を含む初期制御情報にパディングビットを付加することにより、上り制御情報を生成するように構成されるパディング部と、
前記上り制御情報を送信するように構成される送信部と、
を含む移動局。
【請求項１２】
異なるチャネル行列のランクについて同じビット数を有する第１情報と、異なるチャネル行列のランクについて同じ又は異なるビット数を有する第２情報と、を含む上り制御情報の長さを指示する長さ指示情報を送信するように構成される送信部を含み、
前記送信部は、１スロットで前記上り制御情報を送信するようにさらに構成される移動局。
【請求項１３】
受信された指示情報に基づいて、チャネル行列のランクを特定するように構成される特定部と、
特定されたチャネル行列のランクに基づいて、複数のチャネル行列のランクに用いられる初期制御情報をジョイント符号化することにより、上り制御情報を生成するように構成される生成部と、
前記上り制御情報を送信するように構成される送信部と、を含み、
各チャネル行列のランクの初期制御情報は、異なるチャネル行列のランクについて同じビット数を有する第１情報と、異なるチャネル行列のランクについて同じ又は異なるビット数を有する第２情報と、を含む移動局。
【請求項１４】
第１時間間隔で、第１リソースを用いて第１上り制御情報を送信するように構成される送信部を含み、
前記送信部は、前記第１上り制御情報と独立に、第２時間間隔で、第２リソースを用いて第２上り制御情報を送信するように構成され、
前記第１上り制御情報及び前記第２上り制御情報の少なくとも一つは、異なるチャネル行列のランクについて同じビット数を有する第１情報と、異なるチャネル行列のランクについて同じ又は異なるビット数を有する第２情報と、を含む移動局。
【発明の詳細な説明】
【技術分野】
【０００１】
本発明は、無線通信の分野に関し、具体的に、上り制御情報の送信方法及び移動局に関する。
【背景技術】
【０００２】
通信システムでは、ユーザ端末においてチャネルの空間特性を測定し、測定結果をチャネル状態情報（ＣＳＩ）の形式で無線基地局にフィードバックすることがますます重要になっている。チャネル状態によって、ＣＳＩフィードバックが行われる際にユーザ端末によって報告されたチャネル行列のランクが異なる可能性があり、これに応じて、ＣＳＩフィードバックに必要なビット数も異なるようになる。
【発明の概要】
【発明が解決しようとする課題】
【０００３】
ＬＴＥシステムでは、多入力多出力（ＭＩＭＯ）アンテナの規模が限られるため、ＣＳＩフィードバックのビット数同士の差は、大きくないし、受信側である基地局に対して著しい影響を与えることもない。しかしながら、５Ｇ  ＮＲ（Ｎｅｗ  Ｒａｄｉｏ）システムでは、多入力多出力（ＭＩＭＯ）アンテナ規模の増加につれて、ＣＳＩフィードバックのビット数同士の差も増加している。しかし、現在の上り制御情報の送信方法によれば、５Ｇ  ＮＲシステムにおける基地局は、ＣＳＩフィードバックを含む上り制御情報に含まれるビット数を特定することができない。
【課題を解決するための手段】
【０００４】
本発明の一態様によれば、上り制御情報の送信方法が提供される。前記上り制御情報の送信方法は、異なるチャネル行列のランクについて同じビット数を有する第１情報と、異なるチャネル行列のランクについて同じ又は異なるビット数を有する第２情報と、を含む初期制御情報にパディングビットを付加することにより、上り制御情報を生成することと、前記上り制御情報を送信することと、を含む。
【０００５】
本発明の他の態様によれば、上り制御情報の送信方法が提供される。前記上り制御情報の送信方法は、異なるチャネル行列のランクについて同じビット数を有する第１情報と、異なるチャネル行列のランクについて同じ又は異なるビット数を有する第２情報と、を含む上り制御情報の長さを指示する長さ指示情報を送信することと、１スロットで前記上り制御情報を送信することと、を含む。
【０００６】
本発明の他の態様によれば、上り制御情報の送信方法が提供される。前記上り制御情報の送信方法は、受信された指示情報に基づいて、チャネル行列のランクを特定することと、特定されたチャネル行列のランクに基づいて、複数のチャネル行列のランクに用いられる初期制御情報をジョイント符号化することにより、上り制御情報を生成することと、前記上り制御情報を送信することと、を含み、各チャネル行列のランクの初期制御情報は、異なるチャネル行列のランクについて同じビット数を有する第１情報と、異なるチャネル行列のランクについて同じ又は異なるビット数を有する第２情報と、を含む。
【０００７】
本発明の他の態様によれば、上り制御情報の送信方法が提供される。前記上り制御情報の送信方法は、第１時間間隔で、第１リソースを用いて第１上り制御情報を送信することと、前記第１上り制御情報と独立に、第２時間間隔で、第２リソースを用いて第２上り制御情報を送信することと、を含み、前記第１上り制御情報及び前記第２上り制御情報の少なくとも一つは、異なるチャネル行列のランクについて同じビット数を有する第１情報と、異なるチャネル行列のランクについて同じ又は異なるビット数を有する第２情報と、を含む。
【０００８】
本発明の他の態様によれば、移動局が提供される。前記移動局は、異なるチャネル行列のランクについて同じビット数を有する第１情報と、異なるチャネル行列のランクについて同じ又は異なるビット数を有する第２情報と、を含む上り制御情報の長さを指示する長さ指示情報を送信するように構成される送信部を含み、前記送信部は、１スロットで前記上り制御情報を送信するようにさらに構成される。
【０００９】
本発明の他の態様によれば、移動局が提供される。前記移動局は、受信された指示情報に基づいて、チャネル行列のランクを特定するように構成される特定部と、特定されたチャネル行列のランクに基づいて、複数のチャネル行列のランクに用いられる初期制御情報をジョイント符号化することにより、上り制御情報を生成するように構成される生成部と、前記上り制御情報を送信するように構成される送信部と、を含み、各チャネル行列のランクの初期制御情報は、異なるチャネル行列のランクについて同じビット数を有する第１情報と、異なるチャネル行列のランクについて同じ又は異なるビット数を有する第２情報と、を含む。
【００１０】
本発明の他の態様によれば、移動局が提供される。前記移動局は、第１時間間隔で、第１リソースを用いて第１上り制御情報を送信するように構成される送信部を含み、前記送信部は、前記第１上り制御情報と独立に、第２時間間隔で、第２リソースを用いて第２上り制御情報を送信するように構成され、前記第１上り制御情報及び前記第２上り制御情報の少なくとも一つは、異なるチャネル行列のランクについて同じビット数を有する第１情報と、異なるチャネル行列のランクについて同じ又は異なるビット数を有する第２情報と、を含む。
【図面の簡単な説明】
【００１１】
添付図面を参照して本発明の実施例を詳細に説明することで、本発明の上記及び他の目的、特徴及び利点がより明確になるようにする。
【図１】本発明に係る一実施例における上り制御情報の送信方法を示すフローチャートである。
【図２】本発明に係る一実施例における初期制御情報に含まれるチャネル状態情報（ＣＳＩ）を示す模式図である。
【図３】本発明に係る一実施例において、図２に示す初期制御情報にパディングビットを付加することを示す模式図である。
【図４】本発明に係る他の実施例において、図２に示す初期制御情報にパディングビットを付加することを示す模式図である。
【図５】本発明に係る他の実施例における上り制御情報の送信方法を示すフローチャートである。
【図６】本発明に係る他の実施例における上り制御情報の送信方法を示すフローチャートである。
【図７】本発明に係る一実施例において、初期制御情報をジョイント符号化することを示す模式図である。
【図８】本発明に係る他の実施例における上り制御情報の送信方法を示すフローチャートである。
【図９】本発明に係る一実施例における配置される第１リソース及び第２リソースを示す模式図である。
【図１０】本発明に係る一実施例における移動局を示すブロック図である。
【図１１】本発明に係る他の実施例における移動局を示すブロック図である。
【図１２】本発明に係る他の実施例における移動局を示すブロック図である。
【図１３】本発明に係る他の実施例における移動局を示すブロック図である。
【図１４】本発明の一実施形態に係る移動局におけるハードウェア構成の一例を示す図である。
【発明を実施するための形態】
【００１２】
以下、添付図面を参照して、本発明に係る実施例における上り制御情報の送信方法及び移動局を説明する。添付図面において、同一の符号は常に同一の要素を示す。ここに記載された実施例は、単なる説明するためのものであり、本発明の範囲を限定するものとして解釈されるべきではないことを理解されたい。また、ここに記載されたＵＥは、例えば移動端末（あるいは、移動局ともいう）又は固定端末といった様々なタイプのユーザ端末であってもよいが、便宜上、以下では、ＵＥと移動局は、互いに交換可能になるように使用されてもよい。
【００１３】
本発明に係る実施例では、上り制御情報には、チャネル状態情報（ＣＳＩ）のみが含まれてもよい。代わりに、本発明に係る実施例では、上り制御情報には、チャネル状態情報（ＣＳＩ）に加えて、ＨＡＲＱフィードバック情報などの他の制御情報も含まれてもよい。
【００１４】
以下、図１を参照して、本発明に係る一実施例における上り制御情報の送信方法を説明する。図１は、上り制御情報の送信方法１００のフローチャートを示す。
【００１５】
図１に示すように、ステップＳ１０１において、初期制御情報にパディングビット（ｐａｄｄｉｎｇ  ｂｉｔｓ）を付加することにより、上り制御情報を生成する。ここで、初期制御情報は、１スロットで送信すべき上り制御情報の初期制御情報であってもよい。また、ステップＳ１０１において、初期制御情報は、異なるチャネル行列のランクについて同じビット数を有する第１情報と、異なるチャネル行列のランクについて同じ又は異なるビット数を有する第２情報と、を含んでもよい。例えば、第１情報には、ランクインジケータ（ＲＩ）及び／又はＣＳＩ−ＲＳリソースインジケータ（ＣＲＩ）などが含まれてもよく、第２情報には、チャネル品質インジケータ（ＣＱＩ）及び／又はプリコーディングマトリックスインジケータ（ＰＭＩ）などが含まれてもよい。
【００１６】
図２は、本発明に係る一実施例における初期制御情報に含まれるチャネル状態情報（ＣＳＩ）の模式図を示す。図２に示す例では、チャネル行列のＲＡＮＫ（ランク）が１である場合、対応するＣＳＩはＣＳＩ２１０であり、ＲＡＮＫが２である場合、対応するＣＳＩはＣＳＩ２２０であり、ＲＡＮＫが３又は４である場合、対応するＣＳＩはＣＳＩ２３０であり、ＲＡＮＫが５ないし８のうちのいずれか１つである場合、対応するＣＳＩはＣＳＩ２４０である。図２に示すように、ＣＳＩ２１０ないし２４０のうちのいずれにもＲＩ、ＣＱＩ、及びＰＭＩが含まれている。ＲＡＮＫ１ないし８のうちのいずれか１つについても、ＲＩは、同じビット数、すなわち、３ビットを有する。一方、ＲＡＮＫとして取られる値が異なる場合、ＣＱＩとＰＭＩは異なるビット数を有することができる。例えば、ＲＡＮＫが１である場合、ＰＭＩは１０ビットを有する。ＲＡＮＫが２である場合、ＰＭＩは１１ビットを有する。また、例えば、ＲＡＮＫが３又は４である場合、ＣＱＩは４ビットを有する。ＲＡＮＫが５ないし８である場合、ＣＱＩは７ビットを有する。
【００１７】
図２に示す例では、異なるＲＡＮＫに応じて、ＣＳＩに含まれる総ビット数は異なる可能性がある。具体的に、ＣＳＩ２１０−２４０は、それぞれ１７ビット、１８ビット、１７ビット、１９ビットを有することができる。この場合に、ＲＡＮＫとして取られる値が異なるにつれて、ＣＳＩを含む上り制御情報のビット数も変わる。
【００１８】
図１に戻し、ステップＳ１０１において、初期制御情報にパディングビットを付加することにより、所定のビット数を有する上り制御情報を生成してもよい。例えば、上り制御情報がＸビットを有するべきであることは、予め規定されてもよい。ＲＡＮＫとして取られる値に関わらず、上り制御情報がＸビットを有するように、初期制御情報にパディングビットを付加してもよい。
【００１９】
図３は、本発明に係る一実施例において、図２に示す初期制御情報にパディングビットを付加する模式図を示す。図３に示すように、仮に、ＲＡＮＫが５ないし８である場合、上り制御情報をＸビットにするために、ｎビットを付加する必要があれば、ＲＡＮＫが１である場合、上り制御情報をＸビットにするために、ｎ＋２ビットを付加する必要があり、ＲＡＮＫが２である場合、上り制御情報をＸビットにするために、ｎ＋１ビットを付加する必要があり、ＲＡＮＫが３又は４である場合、上り制御情報をＸビットにするために、ｎ＋２ビットを付加する必要があり、ここで、Ｘが０より大きい整数であり、ｎが０以上の整数である。
【００２０】
図３に示す例では、パディングビットが全体として上り制御情報に付加されている。代わりに、本発明に係る他の例において、初期制御情報における第１情報及び第２情報のそれぞれは、一つ又は複数のセグメントを含み、ステップＳ１０１において、前記一つ又は複数のセグメントの少なくとも一部のセグメントに、パディングビットをそれぞれに付加してもよい。例えば、第１情報及び第２情報には、ＲＩ、ＰＭＩ、ＣＱＩなどといった異なるパラメータに対応する各セグメントが含まれてもよい。これらのセグメントのうちの一つ又は複数に、パディングビットをそれぞれに付加してもよい。
【００２１】
図４は、本発明に係る他の実施例において、図２に示す初期制御情報にパディングビットを付加する模式図を示す。図２に示す初期制御情報には、ＲＩセグメント、ＰＭＩセグメント、ＣＱＩセグメントが含まれてもよい。ＲＩセグメント、ＰＭＩセグメント、ＣＱＩセグメントのいずれに対してもビットパディングを行ってもよい。図４に示すように、ＲＩセグメントにａビット、ＰＭＩセグメントにｂビット、ＣＱＩセグメントにｃビットを付加してビットパディングを行ってもよい。代わりに、単に一部のセグメントのみに対してビットパディングを行ってもよい。例えば、在図４に示す例では、ＰＭＩセグメントにｂビット、ＣＱＩセグメントにｃビットを付加してビットパディングを行うが、（図４における破線枠で示すように）ＲＩセグメントには、ａビットを付加しなくて、ビットパディングを行わない。
【００２２】
また、本発明に係る他の例において、初期制御情報には、ＣＳＩ情報に加えて、例えば、ハイブリッド自動再送（ＨＡＲＱ）情報などといった他の情報が含まれてもよい。この場合に、ＣＳＩ情報とＨＡＲＱ情報のそれぞれにパディングビットを付加してもよい。ここで、ＣＳＩ情報は、ＲＩ、ＰＭＩ、ＣＱＩなどといった複数のパラメータがジョイント符号化されたビット系列であってもよいし、各パラメータに対応するセグメントをそれぞれ含むビット系列であってもよい。
【００２３】
本発明に係る例では、ステップＳ１０１において付加されたパディングビットは、前記上り制御情報をチェックするために用いられる。例えば、パディングビットは、上り制御情報に対する巡回冗長チェック（ＣＲＣ）に用いられることができる。この場合に、基地局は、ＵＥによって送信された上り制御情報におけるＣＲＣに対してブラインド検出を行ってもよい。また、例えば、パディングビットは、上り制御情報に対するパリティチェックに用いられてもよい。
【００２４】
例えば、上述したように、パディングビットは、全体として上り制御情報に付加されてもよい。当該全体として上り制御情報に付加されたパディングビットは、上り制御情報全体に対する巡回冗長チェックに用いられてもよい。また、例えば、上述したように、初期制御情報における一つ又は複数のセグメントの少なくとも一部のセグメントのそれぞれにパディングビットを付加してもよく、付加されたパディングビットは、当該セグメントに対する巡回冗長チェックに用いられてもよい。また、初期制御情報における一つ又は複数のセグメントの少なくとも一部のセグメントのそれぞれにパディングビットを付加する場合、上り制御情報全体に対する巡回冗長チェックのためのパディングビットを付加してもよい。
【００２５】
また、本発明に係る他の例では、ステップＳ１０１において付加されたパディングビットは、初期制御情報における第１情報の少なくとも一部を指示してもよい。例えば、第１情報におけるランクインジケータ（ＲＩ）又はランクインジケータ（ＲＩ）の一部は、パディングビットとして用いられてもよい。
【００２６】
また、本発明に係る一例では、初期制御情報についてチャネル符号化に先立ってビットパディングを行ってもよい。具体的に、ステップＳ１０１において、初期制御情報にパディングビットを付加することにより、パディングビット系列を生成し、そして、前記パディングビット系列をチャネル符号化することにより、上り制御情報を生成してもよい。代わりに、初期制御情報をチャネル符号化する際に、ビットパディングを行ってもよい。
【００２７】
ステップＳ１０２において、生成された上り制御情報を送信する。例えば、生成された上り制御情報を物理上り制御チャネル（ＰＵＣＣＨ）又は物理上り共有チャネル（ＰＵＳＣＨ）などの上りチャネルで送信してもよい。また、生成された上り制御情報を１スロットで送信してもよい。
【００２８】
図１に示す上り制御情報の送信方法では、初期制御情報にパディングビットを付加することにより、上り制御情報が特定のビット数を有するようにすることができる。これにより、上り制御情報の長さが基地局に通知されなくても、基地局は、特定された当該特定ビット数に基づいて、上り制御情報の長さを特定することができる。
【００２９】
本発明に係る他の実施例では、基地局が上り制御情報の長さを特定するように、長さ指示情報によって上り制御情報の長さを基地局に通知してもよい。以下、図５を参照して本発明に係る他の実施例における上り制御情報の送信方法を説明する。図５は、上り制御情報の送信方法５００のフローチャートを示す。
【００３０】
図５に示すように、ステップＳ５０１において、上り制御情報の長さを指示する長さ指示情報を送信し、ここで、上り制御情報は、異なるチャネル行列のランクについて同じビット数を有する第１情報と、異なるチャネル行列のランクについて同じ又は異なるビット数を有する第２情報と、を含む。ここで、初期制御情報は、１スロットで送信すべき上り制御情報の初期制御情報であってもよい。
【００３１】
本発明に係る一例では、復調参照信号（ＤＭＲＳ）における一部の情報を長さ指示情報としてもよい。例えば、ＤＭＲＳのスクランブル符号系列を長さ指示情報として使用して、上り制御情報の長さを指示してもよい。
【００３２】
そして、ステップＳ５０２において、長さ指示情報で指示された長さを有する上り制御情報を１スロットで送信する。例えば、生成された上り制御情報を物理上り制御チャネル（ＰＵＣＣＨ）又は物理上り共有チャネル（ＰＵＳＣＨ）などの上りチャネルで送信してもよい。これにより、基地局は、長さ指示情報によって、１サブフレームで受信された上り制御情報の長さを特定でき、且つ、パディングビットの付加が必要とされなくなる。
【００３３】
また、本発明に係る他の実施例では、基地局は、移動局に対してチャネル行列のランクに関する情報を通知してもよい。この場合に、長さ指示情報によって基地局へ通知する必要がなくなり、基地局は、移動局に対して通知した情報に基づいて、移動局からフィードバックされる上り制御情報の長さを予想することができる。以下では、図６を参照して、本発明に係る他の実施例における上り制御情報の送信方法を説明する。図６は、上り制御情報の送信方法６００のフローチャートを示す。
【００３４】
図６に示すように、ステップＳ６０１において、受信された指示情報に基づいて、チャネル行列のランクを特定する。本発明に係る一例では、基地局で送信される上位レイヤシグナリングに基づいて、サポートされる空間のレイヤ数を特定し、そして、チャネル行列のランクを特定してもよい。
【００３５】
ステップＳ６０２において、特定されたチャネル行列のランクに基づいて、複数のチャネル行列のランクに用いられる初期制御情報をジョイント符号化することにより、上り制御情報を生成してもよい。ここで、各チャネル行列のランクの初期制御情報は、異なるチャネル行列のランクについて同じビット数を有する第１情報と、異なるチャネル行列のランクについて同じ又は異なるビット数を有する第２情報と、を含む。
【００３６】
例えば、ステップＳ６０１においてチャネル行列のランクをＲＡＮＫ１−２として特定する場合、ステップＳ６０２において、ＲＡＮＫ１に対応する初期制御情報及びＲＡＮＫ２に対応する初期制御情報をジョイント符号化してもよい。ここで、ＲＡＮＫ１に対応する初期制御情報及びＲＡＮＫ２に対応する初期制御情報のいずれも、異なるチャネル行列のランクについて同じビット数を有する第１情報（例えば、ＲＩ）と、異なるチャネル行列のランクについて同じ又は異なるビット数を有する第２情報（例えば、ＰＭＩ又はＣＱＩ）と、を含む。また、例えば、ステップＳ６０１においてチャネル行列のランクをＲＡＮＫ１−８として特定する場合、ステップＳ６０２において、ＲＡＮＫ１−８のそれぞれに対応する初期制御情報をジョイント符号化してもよい。
【００３７】
図７は、本発明に係る一実施例において、初期制御情報をジョイント符号化する模式図を示す。図７に示すように、ＲＡＮＫ１−２のそれぞれに対応する初期制御情報をジョイント符号化する場合、上り制御情報は４９１５１種類の状態があり得るので、移動局においては１６ビットで特定の上り制御情報の状態を指示する必要がある。したがって、基地局は、チャネル行列のランクがＲＡＮＫ１−２であることに関する情報を移動局に通知する場合、上り制御情報の長さが１６ビットであると予想することができる。ＲＡＮＫ１−４のそれぞれに対応する初期制御情報をジョイント符号化する場合、上り制御情報は８１９１９種類の状態があり得るので、移動局においては１７ビットで特定の上り制御情報の状態を指示する必要がある。したがって、基地局は、チャネル行列のランクがＲＡＮＫ１−４であることに関する情報を移動局に通知する場合、上り制御情報の長さが１７ビットであると予想することができる。ＲＡＮＫ１−８のそれぞれに対応する初期制御情報をジョイント符号化する場合、上り制御情報は３４４０６３種類の状態があり得るので、移動局においては１９ビットで特定の上り制御情報の状態を指示する必要がある。したがって、基地局は、チャネル行列のランクがＲＡＮＫ１−８であることに関する情報を移動局に通知する場合、上り制御情報の長さが１９ビットであると予想することができる。
【００３８】
制御情報の送信に用いられるビット数を減らすために、本発明に係る一例では、通信システムにおいてサポートされるコードブックをダウンサンプリングしてもよい。つまり、上り制御情報において表す必要があるコードブックの数を減らす。好ましくは、２＾ｎと２＾（ｎ＋１）との間に所定の閾値が設けられ、上り制御情報における表す必要がある状態数が２＾ｎと２＾（ｎ＋１）との間にあり、かつ所定の閾値未満である場合、コードブックをダウンサンプリングして、上り制御情報において表す必要があるコードブックの数を減らすことにより、少ないビット数で上り制御情報を送信することができる。
【００３９】
図６に戻し、次に、ステップＳ６０３において、上り制御情報を送信する。例えば、生成された上り制御情報を物理上り制御チャネル（ＰＵＣＣＨ）又は物理上り共有チャネル（ＰＵＳＣＨ）などの上りチャネルで送信してもよい。また、生成された上り制御情報を１スロットで送信してもよい。
【００４０】
以上、図１−７を参照して説明した例では、ビットをパディングすること、長さ指示情報を送信すること、あるいは、受信された指示情報に基づいてチャネル行列のランクを特定することなどの方式で、上り制御情報の長さを特定してもよい。代わりに、送信する必要がある制御シグナリングを減少するために、移動局又は基地局も上記の動作を行わず、上り制御情報を直接に送信する。この場合に、基地局は、移動局によって送信される上り制御情報に対してブラインド復号を行うことにより、その長さを特定してもよい。
【００４１】
また、異なる場合の上り制御情報は、送信周期が異なることがある。例えば、ある場合、移動局は、５ｍｓの周期で上り制御情報を送信する必要がある。一方で、他の場合、移動局は、２０ｍｓの周期で上り制御情報を送信する必要がある。この場合、もし、上り制御情報リソース（「リソースグループ」ともいう）が１グループのみ配置されれば、不要な上り制御情報の送信を引き起こす可能性がある。したがって、本発明に係る他の例において、複数のグループのリソースを配置して、上り制御情報を別々に送信してもよい。
【００４２】
以下、図８を参照して、本発明に係る他の実施例における上り制御情報の送信方法を説明する。図８は、上り制御情報の送信方法８００のフローチャートを示す。図８に示すように、ステップＳ８０１において、第１時間間隔で、第１リソース（「第１リソースグループ」ともいう）を用いて第１上り制御情報を送信する。ステップＳ８０２において、前記第１上り制御情報と独立に、第２時間間隔で、第２リソース（「第２リソースグループ」ともいう）を用いて第２上り制御情報を送信する。本発明に係る一例では、第１上り制御情報及び前記第２上り制御情報の少なくとも一つは、異なるチャネル行列のランクについて同じビット数を有する第１情報と、異なるチャネル行列のランクについて同じ又は異なるビット数を有する第２情報と、を含む。例えば、第１上り制御情報は、異なるチャネル行列のランクについて同じビット数を有する第１情報を含み、第２上り制御情報は、異なるチャネル行列のランクについて同じビット数を有する第１情報と、異なるチャネル行列のランクについて同じ又は異なるビット数を有する第２情報と、を含んでもよい。また、例えば、第１上り制御情報及び第１上り制御情報の両方は、異なるチャネル行列のランクについて同じビット数を有する第１情報と、異なるチャネル行列のランクについて同じ又は異なるビット数を有する第２情報と、を含んでもよい。
【００４３】
また、例えば、１スロットに第１リソース及び第２リソースが配置されてもよい。図９は、本発明に係る一実施例における配置される第１リソース及び第２リソースの模式図を示す。図９に示すように、第１リソース９０１と第２リソース９０２は、１スロットに対応するリソースプールにおける異なる領域に位置するように配置されてもよい。図９には、１つの方眼が１つのシンボルを示す。第１リソース９０１は、第１上り制御情報の送信に用いられ、第２リソース９０２は、第２上り制御情報の送信に用いられる。第１上り制御情報と第２上り制御情報の送信周期が異なるので、いくつかのスロットにおいて、配置される第１リソースのみによって第１上り制御情報を送信することがあり、一方、いくつかのスロットにおいて、配置される第１リソースによって第１上り制御情報を送信するとともに、配置される第２リソースによって第２上り制御情報を送信することがある。
【００４４】
１サブフレームにおいて第１上り制御情報を送信するとともに第２上り制御情報を送信する場合、第１上り制御情報の初期情報と第２上り制御情報の初期情報を独立して符号化することにより、お互いに独立した第１上り制御情報と第２上り制御情報を取得してもよい。一方、第１上り制御情報及び／又は第２上り制御情報内部に複数のセグメント又は情報が含まれる場合、第１上り制御情報及び／又は第２上り制御情報内部について、以上に図１−７を参照して説明した、ビットのパディング、ジョイント符号化などの動作を行ってもよい。例えば、第１上り制御情報の初期制御情報にパディングビットを付加することにより、第１上り制御情報を生成してもよい。また、例えば、第２上り制御情報におけるそれぞれの情報をジョイント符号化してもよい。以上、図１−７を参照して、ビットのパディング、ジョイント符号化などの動作について、既に詳細に説明したので、ここではそれらの説明を省略する。
【００４５】
本発明に係る一例では、第１上り制御情報は、広帯域（ｗｉｄｅｂａｎｄ）通信に用いられる上り制御情報であってもよい。第２上り制御情報は、サブバンド（ｓｕｂｂａｎｄ）通信に用いられる上り制御情報であってもよい。その逆でも同様なものである。
【００４６】
以下、図１０を参照して、本発明に係る一実施例における移動局を説明する。図１０は、本発明に係る一実施例における移動局１０００のブロック図を示す。図１０に示すように、移動局１０００は、パディング部１０１０と、送信部１０２０とを備える。移動局１０００は、上記の２つの部品の他に、他の部品をさらに備えてもよいが、これらの部品が本発明の実施例に関係ないため、ここではその図示や説明を省略する。また、本発明に係る実施例における移動局１０００によって実行される、後述の動作の具体的な詳細は、上述したように図１−４を参照して説明したものと同様であるため、ここでは、繰り返して説明することを避けるために、同様なものについて説明を省略する。
【００４７】
パディング部１０１０は、初期制御情報にパディングビットを付加することにより、上り制御情報を生成してもよい。ここで、初期制御情報は、１スロットで送信すべき上り制御情報の初期制御情報であってもよい。また、初期制御情報は、異なるチャネル行列のランクについて同じビット数を有する第１情報と、異なるチャネル行列のランクについて同じ又は異なるビット数を有する第２情報と、を含んでもよい。例えば、第１情報には、ランクインジケータ（ＲＩ）及び／又はＣＳＩ−ＲＳリソースインジケータ（ＣＲＩ）などが含まれてもよく、第２情報には、チャネル品質インジケータ（ＣＱＩ）及び／又はプリコーディングマトリックスインジケータ（ＰＭＩ）などが含まれてもよい。
【００４８】
パディング部１０１０は、初期制御情報にパディングビットを付加することにより、所定のビット数を有する上り制御情報を生成してもよい。例えば、上り制御情報がＸビットを有すべきであることは、予め規定されてもよい。ＲＡＮＫとして取られる値に関わらず、上り制御情報がＸビットを有するように、初期制御情報にパディングビットを付加してもよい。
【００４９】
本発明に係る一例では、パディング部１０１０は、パディングビットを全体として上り制御情報に付加してもよい。代わりに、本発明に係る他の例において、初期制御情報における第１情報及び第２情報のそれぞれは、一つ又は複数のセグメントを含む。パディング部１０１０は、前記一つ又は複数のセグメントの少なくとも一部のセグメントのそれぞれに、パディングビットを付加してもよい。例えば、第１情報及び第２情報には、ＲＩ、ＰＭＩ、ＣＱＩといった異なるパラメータに対応する各セグメントが含まれてもよい。これらのセグメントのうちの一つ又は複数に、それぞれパディングビットを付加してもよい。具体的に、パディング部１０１０は、各セグメントにパディングビットを付加してもよい。代わりに、パディング部１０１０は、単に一部のセグメントのみに対してビットパディングを行ってもよい。
【００５０】
また、本発明に係る他の例において、初期制御情報には、ＣＳＩ情報に加えて、例えば、ハイブリッド自動再送（ＨＡＲＱ）情報などといった他の情報も含まれてもよい。この場合に、パディング部１０１０は、ＣＳＩ情報とＨＡＲＱ情報のそれぞれにパディングビットを付加してもよい。ここで、ＣＳＩ情報は、ＲＩ、ＰＭＩ、ＣＱＩなどといった複数のパラメータをジョイント符号化したビット系列であってもよいし、それぞれ各パラメータに対応するセグメントを含むビット系列であってもよい。
【００５１】
本発明に係る例では、パディング部１０１０によって付加されたパディングビットは、前記上り制御情報をチェックするために用いられる。例えば、パディングビットは、上り制御情報に対する巡回冗長チェック（ＣＲＣ）に用いられることができる。この場合に、基地局は、ＵＥによって送信された上り制御情報におけるＣＲＣに対してブラインド検出を行ってもよい。また、例えば、パディングビットは、上り制御情報に対するパリティチェックに用いられてもよい。
【００５２】
例えば、上述したように、パディングビットは、全体として上り制御情報に付加されてもよい。当該全体として上り制御情報に付加されたパディングビットは、上り制御情報全体に対する巡回冗長チェックに用いられてもよい。また、例えば、上述したように、初期制御情報における一つ又は複数のセグメントの少なくとも一部のセグメントのそれぞれにパディングビットを付加してもよく、付加されたパディングビットが当該セグメントに対する巡回冗長チェックに用いられてもよい。また、初期制御情報における一つ又は複数のセグメントの少なくとも一部のセグメントのそれぞれにパディングビットを付加する場合、パディング部１０１０は、上り制御情報全体に対する巡回冗長チェックのためのパディングビットを付加してもよい。
【００５３】
また、本発明に係る他の例では、パディング部１０１０によって付加されたパディングビットは、初期制御情報における第１情報の少なくとも一部を指示してもよい。例えば、第１情報におけるランクインジケータ（ＲＩ）又はランクインジケータ（ＲＩ）の一部は、パディングビットとして用いられてもよい。
【００５４】
また、本発明に係る一例では、初期制御情報についてチャネル符号化に先立ってビットパディングを行ってもよい。具体的に、移動局は、符号化部（図示なし）をさらに備えてもよい。パディング部１０１０は、初期制御情報にパディングビットを付加することにより、パディングビット系列を生成してもよい。そして、符号化部は、前記パディングビット系列に対してチャネル符号化を行うことにより、上り制御情報を生成してもよい。代わりに、パディング部１０１０は、初期制御情報をチャネル符号化する際に、ビットパディングを行ってもよい。
【００５５】
そして、送信部１０２０は、生成された上り制御情報を送信する。例えば、送信部１０２０は、生成された上り制御情報を物理上り制御チャネル（ＰＵＣＣＨ）又は物理上り共有チャネル（ＰＵＳＣＨ）などの上りチャネルで送信してもよい。また、送信部１０２０は、生成された上り制御情報を１スロットで送信してもよい。
【００５６】
図１０に示す移動局は、初期制御情報にパディングビットを付加することにより、上り制御情報が特定のビット数を有するようにすることができる。これにより、上り制御情報の長さが基地局に通知されなくても、基地局は、特定された当該特定ビット数に基づいて、上り制御情報の長さを特定することができる。
【００５７】
本発明に係る他の実施例では、移動局は、基地局が上り制御情報の長さを特定するように、長さ指示情報によって上り制御情報の長さを基地局に通知してもよい。以下では、図１１を参照して本発明に係る他の実施例における移動局を説明する。図１１は、本発明に係る他の実施例における移動局１１００のブロック図を示す。図１１に示すように、移動局１１００は、送信部１１１０を備える。移動局１１００は、送信部１１１０に加えて、他の要素をさらに備えてもよいが、これらの他の要素が本発明の実施例に関係ないため、ここではその図示や説明を省略する。また、本発明に係る実施例における移動局１１００によって実行される、後述の動作の具体的な詳細は、上述したように図５を参照して説明したものと同様になるため、ここでは、繰り返して説明することを避けるために、同様なものについて説明を省略する。
【００５８】
図１１に示すように、送信部１１１０は、上り制御情報の長さを指示する長さ指示情報を送信し、ここで、上り制御情報は、異なるチャネル行列のランクについて同じビット数を有する第１情報と、異なるチャネル行列のランクについて同じ又は異なるビット数を有する第２情報と、を含む。ここで、初期制御情報は、１スロットで送信すべき上り制御情報の初期制御情報であってもよい。
【００５９】
本発明に係る一例では、復調参照信号（ＤＭＲＳ）における一部の情報を長さ指示情報としてもよい。例えば、ＤＭＲＳのスクランブル符号系列を長さ指示情報として使用して、上り制御情報の長さを指示してもよい。
【００６０】
そして、送信部１１１０は、長さ指示情報で指示された長さを有する上り制御情報を１スロットで送信する。例えば、生成された上り制御情報を物理上り制御チャネル（ＰＵＣＣＨ）又は物理上り共有チャネル（ＰＵＳＣＨ）などの上りチャネルで送信してもよい。これにより、基地局は、長さ指示情報によって、１サブフレームで受信された上り制御情報の長さを特定でき、且つ、パディングビットの付加が必要とされなくなる。
【００６１】
また、本発明に係る他の実施例では、基地局は、移動局に対してチャネル行列のランクに関する情報を通知してもよい。この場合に、基地局へ長さ指示情報を通知する必要がなくなり、基地局は、移動局に対して通知した情報に基づいて、移動局からフィードバックされる上り制御情報の長さを予想することができる。以下では、図１２を参照して、本発明に係る他の実施例における移動局を説明する。図１２は、本発明に係る他の実施例における移動局１２００のブロック図を示す。図１２に示すように、移動局１２００は、特定部１２１０と、生成部１２２０と、送信部１２３０とを備える。移動局１２００は、図１２に示す３つの部品に加えて、他の部品をさらに備えてもよいが、これらの部品が本発明の実施例に関係ないため、ここではその図示や説明を省略する。また、本発明に係る実施例における移動局１３００によって実行される、後述の動作の具体的な詳細は、上述したように図６−７を参照して説明したものと同様であるため、ここでは、繰り返して説明することを避けるために、同様なものについて説明を省略する。
【００６２】
図１２に示す例では、特定部１２１０は、受信された指示情報に基づいて、チャネル行列のランクを特定する。本発明に係る一例では、基地局で送信される上位レイヤシグナリングに基づいて、サポートされる空間のレイヤ数を特定することにより、チャネル行列のランクを特定してもよい。
【００６３】
生成部１２２０は、特定されたチャネル行列のランクに基づいて、複数のチャネル行列のランクに用いられる初期制御情報をジョイント符号化することにより、上り制御情報を生成してもよい。ここで、各チャネル行列のランクの初期制御情報は、異なるチャネル行列のランクについて同じビット数を有する第１情報と、異なるチャネル行列のランクについて同じ又は異なるビット数を有する第２情報と、を含む。
【００６４】
例えば、特定部１２１０がチャネル行列のランクをＲＡＮＫ１−２として特定する場合、生成部１２２０がＲＡＮＫ１に対応する初期制御情報及びＲＡＮＫ２に対応する初期制御情報をジョイント符号化してもよい。ここで、ＲＡＮＫ１に対応する初期制御情報及びＲＡＮＫ２に対応する初期制御情報のいずれも、異なるチャネル行列のランクについて同じビット数を有する第１情報（例えば、ＲＩ）と、異なるチャネル行列のランクについて同じ又は異なるビット数を有する第２情報（例えば、ＰＭＩ又はＣＱＩ）と、を含む。また、例えば、特定部１２１０がチャネル行列のランクをＲＡＮＫ１−８として特定する場合、生成部１２２０がＲＡＮＫ１−８のそれぞれに対応する初期制御情報をジョイント符号化してもよい。
【００６５】
制御情報の送信に用いられるビット数を減らすために、本発明に係る一例では、通信システムにおいてサポートされるコードブックをダウンサンプリングしてもよい。つまり、上り制御情報において表す必要があるコードブックの数を減らす。好ましくは、２＾ｎと２＾（ｎ＋１）との間に所定の閾値が設けられ、上り制御情報において表す必要がある状態数が２＾ｎと２＾（ｎ＋１）との間にあり、かつ所定の閾値未満である場合、移動局におけるサンプリング部は、コードブックをダウンサンプリングし、上り制御情報において表す必要があるコードブックの数を減らすことにより、少ないビット数で上り制御情報を送信することができる。
【００６６】
そして、送信部１２３０は、上り制御情報を送信してもよい。例えば、生成された上り制御情報を物理上り制御チャネル（ＰＵＣＣＨ）又は物理上り共有チャネル（ＰＵＳＣＨ）などの上りチャネルで送信してもよい。また、生成された上り制御情報を１スロットで送信してもよい。
【００６７】
以上、図１０−１２を参照して説明した例では、ビットをパディングすること、長さ指示情報を送信すること、あるいは、受信された指示情報に基づいてチャネル行列のランクを特定することなどの方式で、上り制御情報の長さを特定してもよい。代わりに、送信する必要がある制御シグナリングを減少するために、移動局又は基地局も上記の動作を行わず、移動局における送信部によって上り制御情報を直接に送信する。この場合に、基地局は、移動局によって送信される上り制御情報に対してブラインド復号を行うことにより、その長さを特定してもよい。
【００６８】
また、異なる場合の上り制御情報は、送信周期が異なることがある。例えば、ある場合、移動局は、５ｍｓの周期で上り制御情報を送信する必要がある。一方で、他の場合、移動局は、２０ｍｓの周期で上り制御情報を送信する必要がある。この場合、もし、上り制御情報リソース（「リソースグループ」ともいう）が１グループのみ配置されれば、不要な上り制御情報の送信を引き起こす可能性がある。したがって、本発明に係る他の例において、複数のグループのリソースを配置して、上り制御情報を別々に送信してもよい。
【００６９】
以下、図１３を参照して、本発明に係る他の実施例における移動局を説明する。図１３は、本発明に係る他の実施例における移動局１３００のブロック図を示す。図１３に示すように、移動局１３００は、送信部１３１０を備える。移動局１３００は、図１３に示す送信部１３１０に加えて、他の部品をさらに備えてもよいが、これらの他の部品が本発明の実施例に関係ないため、ここではその図示や説明を省略する。また、本発明に係る実施例における移動局１３００によって実行される、後述の動作の具体的な詳細は、上述したように図８−９を参照して説明したものと同様であるため、ここでは、繰り返して説明することを避けるために、同様なものについて説明を省略する。
【００７０】
図８に示すように、送信部１３１０は、第１時間間隔で、第１リソース（「第１リソースグループ」ともいう）を用いて第１上り制御情報を送信する。送信部１３１０は、前記第１上り制御情報と独立に、第２時間間隔で、第２リソース（「第２リソースグループ」ともいう）を用いて第２上り制御情報を送信する。本発明に係る一例では、第１上り制御情報及び前記第２上り制御情報の少なくとも一つは、異なるチャネル行列のランクについて同じビット数を有する第１情報と、異なるチャネル行列のランクについて同じ又は異なるビット数を有する第２情報と、を含む。例えば、第１上り制御情報は、異なるチャネル行列のランクについて同じビット数を有する第１情報を含み、第２上り制御情報は、異なるチャネル行列のランクについて同じビット数を有する第１情報と、異なるチャネル行列のランクについて同じ又は異なるビット数を有する第２情報と、を含んでもよい。また、例えば、第１上り制御情報及び第１上り制御情報の両方は、異なるチャネル行列のランクについて同じビット数を有する第１情報と、異なるチャネル行列のランクについて同じ又は異なるビット数を有する第２情報と、を含んでもよい。
【００７１】
また、例えば、１スロットに第１リソース及び第２リソースが配置されてもよい。第１上り制御情報と第２上り制御情報の送信周期が異なるので、送信部１３１０は、いくつかのスロットにおいて、配置される第１リソースのみによって第１上り制御情報を送信することがあり、一方、いくつかのスロットにおいて、配置される第１リソースによって第１上り制御情報を送信するとともに、配置される第２リソースによって第２上り制御情報を送信することがある。
【００７２】
移動局は、符号化部（図示なし）をさらに備える。送信部１３１０が１サブフレームにおいて第１上り制御情報を送信するとともに第２上り制御情報を送信する場合、符号化部が第１上り制御情報の初期情報と第２上り制御情報の初期情報を独立して符号化することにより、お互いに独立した第１上り制御情報と第２上り制御情報を取得してもよい。一方、移動局は、パディング部をさらに備えてもよい。第１上り制御情報及び／又は第２上り制御情報内部が複数のセグメント又は情報を含む場合、符号化部とパディング部は、第１上り制御情報及び／又は第２上り制御情報内部について、以上に図１−７を参照して説明した、ビットのパディング、ジョイント符号化など動作を行ってもよい。例えば、パディング部は、第１上り制御情報の初期制御情報にパディングビットを付加することにより、第１上り制御情報を生成してもよい。また、例えば、符号化部は、第２上り制御情報におけるそれぞれの情報をジョイント符号化してもよい。以上、図１−７を参照して、ビットのパディング、ジョイント符号化などの動作について、既に詳細に説明したので、ここではそれらの説明を省略する。
【００７３】
本発明に係る一例では、第１上り制御情報は、広帯域（ｗｉｄｅｂａｎｄ）通信に用いられる上り制御情報であってもよい。第２上り制御情報は、サブバンド（ｓｕｂｂａｎｄ）通信に用いられる上り制御情報であってもよい。その逆でも同様なものである。
【００７４】
＜ハードウェア構成＞
本発明の一実施形態における無線基地局、ユーザ端末などは、本発明の無線通信方法の処理を行うコンピュータとして機能してもよい。図１４は、本発明の一実施形態に係る移動局のハードウェア構成の一例を示す図である。上述の移動局１０００−１３００のうちのいずれは、物理的には、プロセッサ１４１０、メモリ１４２０、ストレージ１４３０、通信装置１４４０、入力装置１４５０、出力装置１４６０、バス１４７０などを含むコンピュータ装置として構成されてもよい。
【００７５】
なお、以下の説明では、「装置」という文言は、回路、デバイス、ユニットなどに読み替えることができる。移動局１４００のハードウェア構成は、図に示した各装置を１つ又は複数含むように構成されてもよいし、一部の装置を含まずに構成されてもよい。
【００７６】
例えば、プロセッサ１４１０は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１４１０は、１以上のチップで実装されてもよい。
【００７７】
移動局１４００における各機能は、例えば、プロセッサ１４１０、メモリ１４２０などのハードウェア上に所定のソフトウェア（プログラム）を読み込ませることで、プロセッサ１４１０が演算を行い、通信装置１４４０による通信を制御し、メモリ１４２０及びストレージ１４３０におけるデータの読み出し及び／又は書き込みを制御することで実現される。
【００７８】
プロセッサ１４１０は、例えば、オペレーティングシステムを動作させてコンピュータ全体を制御する。プロセッサ１４１０は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。例えば、上述のパディング部１０１０、特定部１２１０、生成部１２２０、符号化部などは、プロセッサ１４１０で実現されてもよい。
【００７９】
また、プロセッサ１４１０は、プログラム（プログラムコード）、ソフトウェアモジュール、データなどを、ストレージ１４３０及び／又は通信装置１４４０からメモリ１４２０に読み出し、これらに従って各種の処理を実行する。プログラムとしては、上述の実施形態で説明した動作の少なくとも一部をコンピュータに実行させるプログラムが用いられる。
【００８０】
メモリ１４２０は、コンピュータ読み取り可能な記録媒体であり、例えば、読み取り専用メモリ（ＲＯＭ：Ｒｅａｄ  Ｏｎｌｙ  Ｍｅｍｏｒｙ）、消去可能なプログラマブル読み取り専用メモリ（ＥＰＲＯＭ：Ｅｒａｓａｂｌｅ  Ｐｒｏｇｒａｍｍａｂｌｅ  ＲＯＭ）、電気的に消去可能なプログラマブル読み取り専用メモリ（ＥＥＰＲＯＭ：Ｅｌｅｃｔｒｉｃａｌｌｙ  ＥＰＲＯＭ）、ランダムアクセスメモリ（ＲＡＭ：Ｒａｎｄｏｍ  Ａｃｃｅｓｓ  Ｍｅｍｏｒｙ）、その他の適切な記憶媒体の少なくとも１つで構成されてもよい。メモリ１４２０は、レジスタ、キャッシュ、メインメモリ（主記憶装置）などと呼ばれてもよい。メモリ１４２０は、本発明の一実施形態に係る無線通信方法を実施するために実行可能なプログラム（プログラムコード）、ソフトウェアモジュールなどを保存することができる。
【００８１】
ストレージ１４３０は、コンピュータ読み取り可能な記録媒体であり、例えば、フレキシブルディスク（ｆｌｅｘｉｂｌｅ  ｄｉｓｋ）、フロッピー（登録商標）ディスク（ｆｌｏｐｐｙ  ｄｉｓｋ）、光磁気ディスク（例えば、読み取り専用ディスク（ＣＤ−ＲＯＭ（Ｃｏｍｐａｃｔ  Ｄｉｓｃ  ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１４３０は、補助記憶装置と呼ばれてもよい。
【００８２】
通信装置１４４０は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１４４０は、例えば周波数分割複信（ＦＤＤ：Ｆｒｅｑｕｅｎｃｙ  Ｄｉｖｉｓｉｏｎ  Ｄｕｐｌｅｘ）及び／又は時分割複信（ＴＤＤ：Ｔｉｍｅ  Ｄｉｖｉｓｉｏｎ  Ｄｕｐｌｅｘ）を実現するために、高周波スイッチ、デュプレクサ、フィルタ、周波数シンセサイザなどを含んで構成されてもよい。例えば、上述の送信部７１０、受信部８１０などは、通信装置１４４０で実現されてもよい。
【００８３】
入力装置１４５０は、外部からの入力を受け付ける入力デバイス（例えば、キーボード、マウス、マイクロフォン、スイッチ、ボタン、センサなど）である。出力装置１４６０は、外部への出力を実施する出力デバイス（例えば、ディスプレイ、スピーカー、発光ダイオード（ＬＥＤ：Ｌｉｇｈｔ  Ｅｍｉｔｔｉｎｇ  Ｄｉｏｄｅ）ランプなど）である。なお、入力装置１４５０及び出力装置１４６０は、一体となった構成（例えば、タッチパネル）であってもよい。
【００８４】
また、プロセッサ１４１０、メモリ１４２０などの各装置は、情報を通信するためのバス１４７０で接続される。バス１４７０は、単一のバスで構成されてもよいし、装置間で異なるバスで構成されてもよい。
【００８５】
また、移動局１４００は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、特定集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１４１０は、これらのハードウェアの少なくとも１つで実装されてもよい。
【００８６】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Ｒｅｆｅｒｅｎｃｅ  Ｓｉｇｎａｌ）と略称することもでき、適用される標準によってパイロット（Ｐｉｌｏｔ）、パイロット信号などと呼ばれてもよい。また、コンポーネントキャリア（ＣＣ：Ｃｏｍｐｏｎｅｎｔ  Ｃａｒｒｉｅｒ）は、セル、周波数キャリア、キャリア周波数などと呼ばれてもよい。
【００８７】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジー（ｎｕｍｅｒｏｌｏｇｙ）に依存しない固定の時間長（例えば、１ｍｓ）であってもよい。
【００８８】
さらに、スロットは、時間領域において１つ又は複数のシンボル（直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、シングルキャリア周波数分割多元接続（ＳＣ−ＦＤＭＡ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【００８９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Ｔｒａｎｓｍｉｓｓｉｏｎ  Ｔｉｍｅ  Ｉｎｔｅｒｖａｌ）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【００９０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【００９１】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【００９２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【００９３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（ｐａｒｔｉａｌ又はｆｒａｃｔｉｏｎａｌ  ＴＴＩ）、短縮サブフレーム、ショートサブフレーム、ミニスロット、又は、サブスロットなどと呼ばれてもよい。
【００９４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【００９５】
リソースブロック（ＲＢ：Ｒｅｓｏｕｒｃｅ  Ｂｌｏｃｋ）は、時間領域及び周波数領域のリソース割当単位であり、周波数領域において、１つ又は複数個の連続した副搬送波（サブキャリア（ｓｕｂｃａｒｒｉｅｒ））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Ｐｈｙｓｉｃａｌ  ＲＢ）、サブキャリアグループ（ＳＣＧ：Ｓｕｂ−Ｃａｒｒｉｅｒ  Ｇｒｏｕｐ）、リソースエレメントグループ（ＲＥＧ：Ｒｅｓｏｕｒｃｅ  Ｅｌｅｍｅｎｔ  Ｇｒｏｕｐ）、ＰＲＢペア、ＲＢペアなどと呼ばれてもよい。
【００９６】
また、リソースブロックは、１つ又は複数のリソースエレメント（ＲＥ：Ｒｅｓｏｕｒｃｅ  Ｅｌｅｍｅｎｔ）で構成されてもよい。例えば、１ＲＥは、１サブキャリア及び１シンボルの無線リソース領域であってもよい。
【００９７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Ｃｙｃｌｉｃ  Ｐｒｅｆｉｘ）長などの構成は、様々に変更することができる。
【００９８】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【００９９】
本明細書においてパラメータなどに使用する名称は、いかなる点においても限定的なものではない。例えば、様々なチャネル（物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）など）及び情報要素は、あらゆる好適な名称によって識別できるので、これらの様々なチャネル及び情報要素に割り当てている様々な名称は、いかなる点においても限定的なものではない。
【０１００】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０１】
また、情報、信号などは、上位レイヤから下位レイヤ、及び／又は下位レイヤから上位レイヤへ出力され得る。情報、信号などは、複数のネットワークノードを介して入出力されてもよい。
【０１０２】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１０３】
情報の通知は、本明細書で説明した態様／実施形態に限られず、他の方法で行われてもよい。例えば、情報の通知は、物理レイヤシグナリング（例えば、下りリンク制御情報（ＤＣＩ：Ｄｏｗｎｌｉｎｋ  Ｃｏｎｔｒｏｌ  Ｉｎｆｏｒｍａｔｉｏｎ）、上りリンク制御情報（ＵＣＩ：Ｕｐｌｉｎｋ  Ｃｏｎｔｒｏｌ  Ｉｎｆｏｒｍａｔｉｏｎ））、上位レイヤシグナリング（例えば、無線リソース制御（ＲＲＣ：Ｒａｄｉｏ  Ｒｅｓｏｕｒｃｅ  Ｃｏｎｔｒｏｌ）シグナリング、ブロードキャスト情報（マスタ情報ブロック（ＭＩＢ：Ｍａｓｔｅｒ  Ｉｎｆｏｒｍａｔｉｏｎ  Ｂｌｏｃｋ）、システム情報ブロック（ＳＩＢ：Ｓｙｓｔｅｍ  Ｉｎｆｏｒｍａｔｉｏｎ  Ｂｌｏｃｋ）など）、媒体アクセス制御（ＭＡＣ：Ｍｅｄｉｕｍ  Ａｃｃｅｓｓ  Ｃｏｎｔｒｏｌ）シグナリング）、その他の信号又はこれらの組み合わせによって実施されてもよい。
【０１０４】
なお、物理レイヤシグナリングは、Ｌ１／Ｌ２（第１レイヤ／第２レイヤ）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（ＲＲＣＣｏｎｎｅｃｔｉｏｎＳｅｔｕｐ）メッセージ、ＲＲＣ接続再構成（ＲＲＣＣｏｎｎｅｃｔｉｏｎＲｅｃｏｎｆｉｇｕｒａｔｉｏｎ）メッセージなどであってもよい。また、ＭＡＣシグナリングは、例えば、ＭＡＣ制御要素（ＭＡＣ  ＣＥ（Ｃｏｎｔｒｏｌ  Ｅｌｅｍｅｎｔ））で通知されてもよい。
【０１０５】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１０６】
判定は、１ビットで表される値（０か１か）によって行われてもよいし、真（ｔｒｕｅ）又は偽（ｆａｌｓｅ）で表される真偽値（ｂｏｏｌｅａｎ）によって行われてもよいし、数値の比較（例えば、所定の値との比較）によって行われてもよい。
【０１０７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Ｄｉｇｉｔａｌ  Ｓｕｂｓｃｒｉｂｅｒ  Ｌｉｎｅ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１０９】
本明細書で使用する「システム」及び「ネットワーク」という用語は、互換的に使用される。
【０１１０】
本明細書では、「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」及び「コンポーネントキャリア」という用語は、互換的に使用され得る。無線基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０１１１】
無線基地局は、１つ又は複数（例えば、３つ）のセル（セクタとも呼ばれる）を収容することができる。無線基地局が複数のセルを収容する場合、無線基地局のカバレッジエリア全体は複数のより小さいエリアに区分でき、各々のより小さいエリアは、無線基地局サブシステム（例えば、屋内用の小型無線基地局（リモートラジオヘッド（ＲＲＨ：Ｒｅｍｏｔｅ  Ｒａｄｉｏ  Ｈｅａｄ）））によって通信サービスを提供することもできる。「セル」又は「セクタ」という用語は、このカバレッジにおいて通信サービスを行う無線基地局及び／又は無線基地局サブシステムのカバレッジエリアの一部又は全体を指す。
【０１１２】
本明細書では、「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」及び「端末」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０１１３】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１１４】
また、本明細書における無線基地局は、ユーザ端末で読み替えてもよい。例えば、無線基地局及びユーザ端末間の通信を、複数のユーザ端末間（Ｄ２Ｄ：Ｄｅｖｉｃｅ−ｔｏ−Ｄｅｖｉｃｅ）の通信に置き換えた構成について、本発明の各態様／実施形態を適用してもよい。同様に、本明細書におけるユーザ端末は、無線基地局で読み替えてもよい。
【０１１５】
本明細書において、基地局によって行われるとした特定動作は、場合によってはその上位ノード（ｕｐｐｅｒ  ｎｏｄｅ）によって行われることもある。基地局を有する１つ又は複数のネットワークノード（ｎｅｔｗｏｒｋ  ｎｏｄｅｓ）から成るネットワークにおいて、端末との通信のために行われる様々な動作は、無線基地局、無線基地局以外の１つ以上のネットワークノード（例えば、モビリティ管理エンティティ（ＭＭＥ：Ｍｏｂｉｌｉｔｙ  Ｍａｎａｇｅｍｅｎｔ  Ｅｎｔｉｔｙ）、サービングゲートウェイ（Ｓ−ＧＷ：Ｓｅｒｖｉｎｇ−Ｇａｔｅｗａｙ）などが考えられるが、これらに限られない）又はこれらの組み合わせによって行われ得ることは明らかである。
【０１１６】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１７】
本明細書で説明した各態様／実施形態は、長期的進化（ＬＴＥ：Ｌｏｎｇ  Ｔｅｒｍ  Ｅｖｏｌｕｔｉｏｎ）、高級長期的進化（ＬＴＥ−Ａ、ＬＴＥ−Ａｄｖａｎｃｅｄ）、ビヨンド長期的進化（ＬＴＥ−Ｂ、ＬＴＥ−Ｂｅｙｏｎｄ）、スーパー第３世代移動通信システム（ＳＵＰＥＲ  ３Ｇ）、高級国際移動通信（ＩＭＴ−Ａｄｖａｎｃｅｄ）、第４世代移動通信システム（４Ｇ、４ｔｈ  ｇｅｎｅｒａｔｉｏｎ  ｍｏｂｉｌｅ  ｃｏｍｍｕｎｉｃａｔｉｏｎ  ｓｙｓｔｅｍ）、第５世代移動通信システム（５Ｇ、５ｔｈ  ｇｅｎｅｒａｔｉｏｎ  ｍｏｂｉｌｅ  ｃｏｍｍｕｎｉｃａｔｉｏｎ  ｓｙｓｔｅｍ）、将来無線アクセス（ＦＲＡ：Ｆｕｔｕｒｅ  Ｒａｄｉｏ  Ａｃｃｅｓｓ）、新無線アクセス技術（Ｎｅｗ−ＲＡＴ、Ｒａｄｉｏ  Ａｃｃｅｓｓ  Ｔｅｃｈｎｏｌｏｇｙ）、新ラジオ（ＮＲ：Ｎｅｗ  Ｒａｄｉｏ）、新無線アクセス（ＮＸ、Ｎｅｗ  ｒａｄｉｏ  ａｃｃｅｓｓ）、新世代無線アクセス（ＦＸ、Ｆｕｔｕｒｅ  ｇｅｎｅｒａｔｉｏｎ  ｒａｄｉｏ  ａｃｃｅｓｓ）、グローバルモバイル通信システム（ＧＳＭ（登録商標）、Ｇｌｏｂａｌ  Ｓｙｓｔｅｍ  ｆｏｒ  Ｍｏｂｉｌｅ  ｃｏｍｍｕｎｉｃａｔｉｏｎｓ）、コード分割多元接続２０００（ＣＤＭＡ２０００）、ウルトラモバイルブロードバンド（ＵＭＢ：Ｕｌｔｒａ  Ｍｏｂｉｌｅ  Ｂｒｏａｄｂａｎｄ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、超広帯域（ＵＷＢ：Ｕｌｔｒａ−ＷｉｄｅＢａｎｄ）、ブルートゥース（Ｂｌｕｅｔｏｏｔｈ（登録商標））、その他の適切な無線通信方法を利用するシステム及び／又はこれらに基づいて拡張された次世代システムに適用されてもよい。
【０１１８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１９】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１２０】
本明細書で使用する「判断（決定）（ｄｅｔｅｒｍｉｎｉｎｇ）」という用語は、多種多様な動作を包含する場合がある。例えば、「判断（決定）」は、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）などを「判断（決定）」することであるとみなされてもよい。また、「判断（決定）」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）などを「判断（決定）」することであるとみなされてもよい。また、「判断（決定）」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などを「判断（決定）」することであるとみなされてもよい。つまり、「判断（決定）」は、何らかの動作を「判断（決定）」することであるとみなされてもよい。
【０１２１】
本明細書で使用する「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非網羅的な例として、無線周波数領域、マイクロ波領域及び／又は光（可視及び不可視の両方）領域の波長を有する電磁エネルギーなどを使用することにより、互いに「接続」又は「結合」されると考えることができる。
【０１２２】
本明細書又は特許請求の範囲で「含む（ｉｎｃｌｕｄｉｎｇ）」、「含んでいる（ｃｏｍｐｒｉｓｉｎｇ）」、及びそれらの変形が使用されている場合、これらの用語は、用語「備える」と同様に、包括的であることが意図される。さらに、本明細書あるいは特許請求の範囲において使用されている用語「又は（ｏｒ）」は、排他的論理和ではないことが意図される。
【０１２３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2020533900.tif 000003
【図２】
2020533900.tif 000004
【図３】
2020533900.tif 000005
【図４】
2020533900.tif 000006
【図５】
2020533900.tif 000007
【図６】
2020533900.tif 000008
【図７】
2020533900.tif 000009
【図８】
2020533900.tif 000010
【図９】
2020533900.tif 000011
【図１０】
2020533900.tif 000012
【図１１】
2020533900.tif 000013
【図１２】
2020533900.tif 000014
【図１３】
2020533900.tif 000015
【図１４】
2020533900.tif 000016
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
第１の情報と第２の情報とを含む上り制御情報を生成し、前記第１の情報は、固定のビット数を有するものであるように構成される制御部と、
前記上り制御情報を送信するように構成される送信部と、を含む端末。
【請求項２】
前記第１の情報は、ランクインジケータとＣＳＩ−ＲＳリソースインジケータとの少なくとも１つを含み、
前記第２の情報は、チャネル品質インジケータとプリコーディングマトリックスインジケータとの少なくとも１つを含む、請求項１に記載の端末。
【請求項３】
端末によって実行される方法であって、
第１の情報と第２の情報とを含む上り制御情報を生成し、前記第１の情報は、固定のビット数を有するものである工程と、
前記上り制御情報を送信する工程と、を含む方法。
【請求項４】
前記第１の情報は、ランクインジケータとＣＳＩ−ＲＳリソースインジケータとの少なくとも１つを含み、
前記第２の情報は、チャネル品質インジケータとプリコーディングマトリックスインジケータとの少なくとも１つを含む、請求項３に記載の方法。
【国際調査報告】
2020533900.tif 000017
2020533900.tif 000018
2020533900.tif 000019
2020533900.tif 000020